(57)【特許請求の範囲】
【請求項１】
同一基板（２０）上に、放電灯（７）を高周波で点灯させるためのインバータ部（５）と、インバータ部（５）を高周波制御するためのマイクロコンピュータ（９）を有する制御部（８）と、インバータ部（５）に供給される電力を制御するチョッパー部（３）とが配置され、制御部（８）は、マイクロコンピュータ（９）の制御によりインバータ部（５）に高周波制御信号を与えるためのインバータ制御用ＩＣチップ（１３）と、マイクロコンピュータ（９）の制御によりチョッパー部（３）にチョッパー制御信号を与えるためのチョッパー制御ＩＣチップ（１１）とを備えた放電灯点灯装置であって、
前記基板（２０）は、電源（ＡＣ）側に接続される入力端子（２２）と、放電灯（７）側に接続される出力端子（２４）とを備え、
前記インバータ部（５）、チョッパー部（３）及び制御部（８）を構成する回路素子類が配置される基板（２０）上の素子類配置領域（２６）が両端子（２２，２４）間に設けられ、
当該素子類配置領域（２６）は、両端子（２２，２４）間を結ぶ方向に長く延びた形状とされ、
前記制御部（８）のマイクロコンピュータ（９）、インバータ制御用ＩＣチップ（１３）及びチョッパー制御ＩＣチップ（１１）は、前記素子類配置領域（２６）において前記インバータ部（５）よりも入力端子（２２）側に配置され、
前記制御部（８）以外のインバータ部（５）及びチョッパー部（３）が基板（２０）の表面に設けられ、制御部（８）を構成するマイクロコンピュータ（９）とインバータ制御用ＩＣチップ（１３）とチョッパー制御ＩＣチップ（１１）とが基板（２０）の裏面に設けられていることを特徴とする放電灯点灯装置。
【請求項２】
前記インバータ部（５）は基板（２０）の表面であって前記出力端子（２４）近傍に、前記マイクロコンピュータ（９）は基板（２０）の裏面であって前記入力端子（２２）近傍に振り分け配置されていることを特徴とする請求項１記載の放電灯点灯装置。
【請求項３】
前記基板（２０）は略長方形に形成されており、当該長方形の一の短辺（２０ａ）近傍に入力端子（２２）が配置されていると共に、他の短辺（２０ｂ）近傍に出力端子（２４）が配置されていることを特徴とする請求項１又は２記載の放電灯点灯装置。
【請求項４】
前記マイクロコンピュータ（９）は、基板（２０）の裏面であって、前記インバータ制御用ＩＣチップ（１３）よりも入力端子（２２）側に配置されていることを特徴とする請求項１〜３のいずれかに記載の放電灯点灯装置。
【請求項５】
前記チョッパー部（３）は、基板（２０）の表面であって前記インバータ部（５）より入力端子（２２）側に配置され、
前記マイクロコンピュータ（９）は、基板（２０）の裏面であって前記チョッパー部（３）より入力端子（２２）側に配置されていることを特徴とする請求項１〜４のいずれかに記載の放電灯点灯装置。
【請求項６】
前記チョッパー制御ＩＣチップ（１１）は、基板（２０）の裏面であって、前記素子類配置領域（２６）において前記チョッパー部（３）より入力端子（２２）側に配置され、
前記マイクロコンピュータ（９）は、基板（２０）の裏面であって前記チョッパー制御ＩＣチップ（１１）より入力端子（２２）側に配置されていることを特徴とする請求項５記載の放電灯点灯装置。
【請求項７】
前記マイクロコンピュータ（９）は、基板（２０）の裏面であって前記インバータ部（５）より入力端子（２２）側であって前記チョッパー部（３）より出力端子（２４）側に配置されていることを特徴とする請求項１記載の放電灯点灯装置。
【請求項８】
前記インバータ部（５）は基板（２０）の表面であって出力端子（２４）近傍に配置されていると共に、前記チョッパー部（３）は基板（２０）の表面であって入力端子（２２）近傍に配置され、
前記マイクロコンピュータ（９）は、基板（２０）の裏面であって前記インバータ部（５）とチョッパー部（３）との間に配置されていることを特徴とする請求項７記載の放電灯点灯装置。
【請求項９】
前記インバータ制御用ＩＣチップ（１３）は、基板（２０）の裏面であってインバータ部（５）より入力端子（２２）側に配置されていると共に、前記チョッパー制御ＩＣチップ（１１）は基板（２０）の裏面であってチョッパー部（３）より出力端子（２４）側に配置され、
前記マイクロコンピュータ（９）は、基板（２０）の裏面であって前記インバータ制御用ＩＣチップ（１３）とチョッパー制御ＩＣチップ（１１）との間に配置されていることを特徴とする請求項７又は８記載の放電灯点灯装置。
【発明の詳細な説明】
【０００１】
【発明の属する技術分野】
本発明は、マイクロコンピュータを搭載した放電灯点灯装置に関するものである。
【０００２】
【従来の技術】
従来の放電点灯装置には、放電灯の調光、照度補正をマイクロコンピュータを用いて行うようにしたものがある。
このマイクロコンピュータは、放電灯点灯装置の回路と接続され、当該回路を制御することによって放電灯の調光、照度補正などを行う。
このマイクロコンピュータは、放電灯点灯装置のインバータ部からのノイズ回避のために、放電灯点灯装置とは分離した別体の制御ユニットとして構成され、ノイズによるマイクロコンピュータの誤動作を防止していた。
【０００３】
【発明が解決しようとする課題】
しかしながら、放電灯点灯装置とその制御ユニットとが別体であると、部品数が増加してコスト高を招く。しかし、放電灯点灯装置にマイクロコンピュータを搭載すると、マイクロコンピュータがインバータ部からノイズを受けて誤動作するおそれがある。
本発明は、このような問題に鑑みてなされたものであって、インバータ部からのノイズの影響を回避しつつ放電灯点灯装置にマイクロコンピュータを搭載することを課題とする。
【０００４】
【課題を解決するための手段】
本発明において、上記課題を解決するために採用した第１のポイントは、同一基板上に、放電灯を高周波で点灯させるインバータ部と、インバータ部を高周波制御するためのマイクロコンピュータを有する制御部とを配置して両者を一体的に構成し、制御部のマイクロコンピュータ、インバータ制御用ＩＣチップ及びチョッパー制御ＩＣチップを、素子類配置領域においてインバータ部よりも入力端子側に配置し、
制御部以外のインバータ部及びチョッパー部を基板の表面に設け、制御部を構成するマイクロコンピュータとインバータ制御用ＩＣチップとチョッパー制御ＩＣチップとを基板の裏面に設けていることにある。
【０００５】
このように、従来別体であったものを一体的に構成することで、部品点数が減少し、コストメリットを図ることができる。また、一体であるので、組立時にインバータ部と制御部を配線する必要がなく、組立が容易である。
そして、インバータ部によるノイズがマイクロコンピュータへ影響することを防止するには、インバータ部とマイクロコンピュータとの距離を長くすることによって可能である。このための回路配置が本発明の第２のポイントである。すなわち、基板は、電源側に接続される入力端子と、放電灯側に接続される出力端子とを備え、前記インバータ部及び制御部を構成する回路素子類が配置される基板上の素子類配置領域が両端子間に設けられ、当該素子類配置領域は、両端子間を結ぶ方向に長く延びた形状とされている。
【０００６】
このように、素子類配置領域を両端子間を結ぶ方向に長くとることによって、当該領域内において長手方向に配置される素子間の距離を長くすることが可能となる。ここで、素子類配置領域が「両端子間を結ぶ方向に長く延びた」とは、素子類配置領域が、例えば、長方形となっている場合をいう。
そして、前記領域でのマイクロコンピュータとインバータ部との配置が第３のポイントである。すなわち、前記マイクロコンピュータは、前記素子類配置領域において前記インバータ部よりも入力端子側に配置されている。
【０００７】
このように、マイクロコンピュータをインバータ部よりも入力端子側に配置すること、いいかえれば素子間の間隔を長くとれる長手方向（入力端子と出力端子を結ぶ方向）にマイクロコンピュータとインバータ部とを並設すること、によりマイクロコンピュータへのインバータ部からのノイズの影響を低減することができる。
さらに、素子類配置領域においてインバータ部から出力端子の間は、高周波電流が流れておりこの領域にマイクロコンピュータが存在すると特にノイズの影響を受けやすいので、この領域を避けてインバータ部より入力端子側にマイクロコンピュータを配置することで、ノイズの影響を回避できる。
【０００８】
また、前述のような素子類配置領域においては、入力端子に近づく程、インバータ部からのノイズの影響が低下するので、マイクロコンピュータは、インバータ部よりも入力端子側であって、かつインバータ素子よりも入力端子に近い位置に設けられているのが好適である。
したがって、前記インバータ部は前記出力端子近傍に、前記マイクロコンピュータは前記入力端子近傍に振り分け配置されているのが好適である。
ここで、出力端子近傍とは、入力端子と出力端子の中間位置から出力端子よりの領域をいい、入力端子近傍とは、同中間位置から入力端子よりの領域をいう。
【０００９】
素子類配置領域を前述のような形状とするには、前記基板は略長方形に形成されており、当該長方形の一の短辺近傍に入力端子が配置されていると共に、他の短辺近傍に出力端子が配置されているものとすることができる。
また、前記制御部は、前記マイクロコンピュータの制御により前記インバーター部に高周波制御信号を与えるためのインバータ制御用ＩＣチップを備え、当該インバータ制御用ＩＣチップは、前記素子類配置領域において前記インバータ部よりも入力端子側に配置され、前記マイクロコンピュータは、前記インバータ制御用ＩＣチップよりも入力端子側に配置されているものとすることができる。
【００１０】
この場合、入力端子側からマイクロコンピュータ、インバータ制御用ＩＣチップ、インバータ部の順番で素子類配置領域の長手方向に並設されることになる。したがって、マイクロコンピュータからインバータ制御用ＩＣチップに与えられる制御信号はインバータ部の近くを通る必要がなく、インバータ部から当該制御信号へのノイズ印加を回避することが可能で、ノイズの影響が防止される。また、両端子を結ぶ方向に長い素子類配置領域においては、インバータ制御用ＩＣチップが介在している分、マイクロコンピュータはインバータ部からの距離が遠くなるのでノイズの影響が一層低減する。
【００１１】
また、前記基板の素子類配置領域には、チョッピングにより前記インバータ部に供給される電力を制御するチョッパー部が設けられ、当該チョッパー部は、前記インバータ部より入力端子側に配置され、前記マイクロコンピュータは、前記チョッパー部より入力端子側に配置されているものとすることができる。
この場合、入力端子側からマイクロコンピュータ、チョッパー部、インバータ部の順番で素子類配置領域の長手方向に並設されることになる。したがって、両端子を結ぶ方向に長い素子類配置領域においては、チョッパー部が介在している分、マイクロコンピュータはインバータ部からの距離が遠くなるのでノイズの影響が一層低下する。
【００１２】
また、前記制御部は、前記マイクロコンピュータの制御により前記チョッパー部にチョッパー制御信号を与えるためのチョッパー制御ＩＣチップを備え、当該チョッパー制御ＩＣチップは、前記素子類配置領域において前記チョッパー部より入力端子側に配置され、前記マイクロコンピュータは、前記チョッパー制御ＩＣチップより入力端子側に配置されているものとすることができる。
この場合、入力端子側からマイクロコンピュータ、チョッパー制御ＩＣチップ、チョッパー部、インバータ部の順番で素子類配置領域の長手方向に並設されることになる。
【００１３】
したがって、両端子を結ぶ方向に長い素子類配置領域においては、チョッパー制御ＩＣチップ及びチョッパー部が介在している分、マイクロコンピュータはインバータ部からの距離が遠くなるのでノイズの影響がさらに一層低下する。
また、本発明においては、前記基板の素子類配置領域には、チョッピングにより前記インバータ部に供給される電力を制御するチョッパー部が設けられ、前記マイクロコンピュータは、前記インバータ部より入力端子側であって前記チョッパー部より出力端子側に配置されているものとすることができる。
【００１４】
この場合、入力端子側からチョッパー部、マイクロコンピュータ、インバータ部の順番で素子類配置領域の長手方向に並設されることになる。
ここで、チョッパー部からもある程度ノイズが発生する。このため、入力端子側からマイクロコンピュータ、チョッパー部、インバータ部の順番で配置すると、マイクロコンピュータからインバータ部に対して与えられる制御信号が、チョッパー部の近くを通過することになり、チョッパー部からのノイズが当該制御信号に印加され誤動作を生ずるおそれがある。
【００１５】
しかし、入力端子側からチョッパー部、マイクロコンピュータ、インバータ部の順番で配置すれば、マイクロコンピュータからチョッパー部に与えられる制御信号は、インバータ部の近くを通る必要がないのでインバータ部からのノイズの影響を受けることは少なく、更にマイクロコンピュータからインバータ部に与えられる制御信号はチョッパー部の近くを通る必要がないので、チョッパー部からのノイズの影響を受けることは少ない。
さらに、具体的には、前記インバータ部は出力端子近傍に配置されていると共に、前記チョッパー部は入力端子近傍に配置され、前記マイクロコンピュータは、前記インバータ部とチョッパー部との間に配置されているのが好適である。
【００１６】
また、前記制御部は、前記マイクロコンピュータの制御により前記インバータ部に高周波制御信号を与えるためのインバータ制御用ＩＣチップと、前記マイクロコンピュータの制御により前記チョッパー部にチョッパー制御信号を与えるためのチョッパー制御ＩＣチップを備え、前記インバータ制御用ＩＣチップは、インバータ部より入力端子側に配置されていると共に、前記チョッパー制御ＩＣチップはチョッパー部より出力端子側に配置され、前記マイクロコンピュータは、前記インバータ制御用ＩＣチップとチョッパー制御ＩＣチップとの間に配置されているものとするのが好適である。
【００１７】
【発明の実施の形態】
以下、本発明の実施の形態を図面に基づいて説明する。
図１は本発明の第１の実施の形態に係る放電灯点灯装置１としての回路が基板２０に配置された状態を示している。この放電灯点灯装置１の回路構成は、図２の回路図に例示されものが採用される。
図２の放電灯点灯装置（インバータ安定器）１は、交流電源ＡＣに接続される全波整流器（ダイオードブリッジ）ＤＢ１を備えている。この全波整流器ＤＢ１の出力側には、チョッパー部３が接続され、チョッパー部３の出力側にインバータ部５が接続され、インバータ部５の出力側に放電灯７が接続される。
【００１８】
チョッパー部３は、整流器ＤＢ１の整流出力をチョッピングして、インバータ部５に供給される電圧を調整するものである。チョッパー部３は、チョークコイルＬ１、スイッチング素子Ｓ３、ダイオードＤ１により構成されている。スイッチング素子Ｓ３は、後述のチョッパー制御ＩＣ１１によって高周波でオンオフされる。
スイッチング素子Ｓ３のオンオフにより、整流出力がチョッピングされる。すなわち、スイッチング素子Ｓ３がオンの時には、チョークコイルＬ１にエネルギーが蓄積され、スイッチング素子Ｓ３がオフの時にはそのエネルギーがダイオードＤ１を介して放出される。
【００１９】
なお、ダイオードＤ１を介して出力されるチョッピング電圧はコンデンサＣ１で平滑化される。
インバータ部５は、チョッパー部の出力電圧を高周波の交流電圧に変換して負荷である放電灯７に供給するものである。インバータ部３は、インバータスイッチング素子（インバータ素子）Ｓ１，Ｓ２と、コンデンサＣ２と、ＬＣ共振回路Ｌ２，Ｃ３と、から構成されている。
各スイッチング素子Ｓ１，Ｓ２は後述のインバータ制御ＩＣ１３によって高速度で交互にオンオフされる。インバータ部５は、各インバータ素子Ｓ１，Ｓ２のオンオフにより、コンデンサＣ１で平滑化されたチョッパ部３の出力を高周波に変換し、共振回路Ｌ２，Ｃ３を励振して放電灯７を点灯させる。なお、コンデンサＣ２は、直流成分カット用のコンデンサである。
【００２０】
また、放電灯点灯装置１は、放電灯点灯制御部８を備えている。この制御部８は、チョッパー部３とインバータ部５とを制御するためのものであり、放電灯の調光、照度補正などの機能を有するマイクロコンピュータ（以下、マイコンという）９、チョッパー制御ＩＣ１１、インバータ制御ＩＣ１３とから構成されている。
チョッパー制御ＩＣ１１は、インバータ部５に供給される電圧を調整するべくスイッチ素子Ｓ３をオンオフ制御する制御信号を出力するものであって、チョッパー制御ＩＣ１１が出力する制御信号の周波数は、マイコン９から入力される制御信号によって制御される。
【００２１】
インバータ制御ＩＣ１３は、各インバータ素子Ｓ１，Ｓ２を交互にオンオフ制御する制御信号を出力するものであって、インバータ制御ＩＣが出力する制御信号の周波数は、マイコン９から入力される制御信号によって制御される。
なお、放電灯点灯装置１は、マイコン９への電源供給部１５を備えている。この電源供給部１５は、前記交流電源ＡＣから分圧抵抗Ｒ１，Ｒ２によって分圧された電圧を整流器ＤＢ２で整流し、コンデンサＣ４で平滑化し、３端子レギュレータＩＣ１７を介してマイコン９の電源として供給する。
【００２２】
図２に示すような放電灯点灯装置１を構成する回路素子類は、図１に示すような一つの基板２０に配置されている。
この基板２０は、長手方向に長細い長方形に形成されている。基板２０の一方の短辺２０ａの近くには交流電源ＡＣに接続される入力端子２２が設けられている。基板２０の他方の短辺２０ｂの近くには放電灯７に接続される出力端子２４が設けられている。
入力端子２２は、図２の回路図において、交流電源ＡＣの出力端として符号Ａで示す部分に該当する。また、出力端子は、図２の回路図において放電灯７の入力端として符号Ｂで示す部分に該当する。
【００２３】
図１は、図２の回路においてチョッパー部３とチョッパー制御ＩＣ１１を省略した場合の、マイコン９，インバータ制御ＩＣ１３，インバータ部５の配置を示している。
マイコン９その他の放電灯点灯装置１を構成する回路素子は、入力端子２２と出力端子２４との間に配置されており、両端子間は両端子間を結ぶ方向に長く延びた形状（長方形）の素子類配置領域２６とされている。
この長細い素子類配置領域２６において、制御部８とインバータ部５は、長手方向に振り分け配置されている。すなわち、制御部８は素子類配置領域２６の入力端子２２側に配置され、インバータ部５は同領域２６の出力端子２４側に配置されている。
【００２４】
さらに具体的には、基板２０の表面の出力端子２４側にインバータ部５が配置され、基板２０の表面の入力端子２２側には、点灯装置を構成する他の素子類（整流器ＤＢ１、３端子レギュレータ１７等）が長手方向に配置されている（図示省略）。そして、制御部８は基板２０の裏面の入力端子２２側（他の素子類の裏側）に配置されている。
なお、インバータ部５は基板の表面に装着されている必要はなく、裏面の対応する位置であってもよく、出力端子２４付近の表裏両面にインバータ部５を構成する素子を分散配置してもよい（後述の実施形態においても同様）。
【００２５】
インバータ部５の配置されている領域内においては、インバータ素子Ｓ１，Ｓ２が最も入力端子２２側に配置され、その他のインバータ部５を構成する素子Ｌ２，Ｃ２，Ｃ３は素子類配置領域２６の長手方向に並設されている。
このように本実施形態では、放電灯点灯装置を構成する主要回路であるインバータ部５は、出力端子２４の近傍に配置されている。したがって、インバータ部５（インバータ素子Ｓ１，Ｓ２）によって発生する高周波は、このインバータ部５と当該インバータ部５に接続されている出力端子２４付近を流れる。よってインバータ部５によるノイズの影響は、インバータ部５を中心とする出力端子２４付近２４において強くなり、入力端子２２側程ノイズの影響が低下する。
【００２６】
制御部８を構成するインバータ制御ＩＣチップ１３は、インバータ部５から長手方向に所定の距離をおいて入力端子２２側に配置されている。また、制御部８を構成するマイコン９は、インバータ制御ＩＣチップ１３からさらに長手方向に所定の間隔をおいて配置されている。
このように、本実施形態では、マイコン９は、インバータ部５よりも入力端子側２２（Ｒ１の領域）であって、しかもインバータ制御ＩＣチップ１３よりも入力端子２２側（Ｒ２の領域）に配置されている。このようにマイコンはノイズの影響の少ない入力端子２２側に配置されているので、誤動作が少ない。また、マイコン９とインバータ制御ＩＣチップ１３を接続する配線２８もインバータ部５の近傍を通る必要がないので、マイコンからインバータ制御ＩＣ１３に与えられる制御信号へのノイズの印加も回避できる。
【００２７】
図３は、本発明の第２の実施形態に係る放電灯点灯装置１の回路配置を示している。本実施形態では、基板２０にチョッパー部３及びチョッパー制御ＩＣチップ１１も搭載され、図１の回路図に対応する回路構成となっている。
ここでは、基板２０の表面の出力端子２４近傍にインバータ部５が配置され、同じく表面にインバータ部５から長手方向に所定間隔をおいて入力端子２２側にチョッパー部３が配置されている。
なお、チョッパー部３は、インバータ部５から長手方向から所定間隔をおいた入力端子２２側の位置にチョッパー部３を構成する素子を分散配置してもよい（後述の実施形態においても同様）。
【００２８】
また、インバータ部５とチョッパー部３との間、チョッパー部３と入力端子２２との間、裏面の余ったスペースには、点灯装置１を構成する他の素子類が長手方向に配置されている。
また、基板２０の裏面には、インバータ部５から長手方向に所定間隔をおいて入力端子側にインバータ制御ＩＣチップ１３が配置されている。さらにインバータ制御ＩＣチップから長手方向に所定間隔おいて入力端子２２側であって、かつチョッパー部３より入力端子２２側に、チョッパー制御ＩＣチップ１１が設けられている。
【００２９】
マイコン９は、基板２０の裏面であって、チョッパー制御ＩＣチップ１１から長手方向に所定間隔をおいて入力端子２２側に設けられている。
このように、本実施形態では、マイコン９は、長細い素子類配置領域２６において、インバータ部５からチョッパー部３を介在させて入力端子側２２に配置されている（Ｒ３の領域）ので、領域２６のスペースを有効に活用しつつ、マイコン９のインバータ部５からの距離を大きくとることができる。
また、チョッパー部３からも発生する高周波ノイズのマイコン９への影響も回避できる。
【００３０】
また、マイコン９は、チョッパー制御ＩＣチップ１１より入力端子２２に配置されている（Ｒ４の領域）ので、マイコン９からチョッパー制御ＩＣチップ１１に与えられる制御信号にチョッパー部３からのノイズが印加されるのを防止できる。
なお、本実施形態では、インバータ制御ＩＣチップ１３は、インバータ部５とチョッパー部３との間に配置されているが、チョッパー制御ＩＣチップ１１がチョッパー部３より入力端子２２側に配置されているのと同様の理由で、インバータ制御ＩＣチップ１３もチョッパー部３より入力端子側に配置することができる。
【００３１】
図４は、本発明の第４の実施形態に係る放電灯点灯装置１の回路配置を示している。インバータ部５は基板表面の出力端子２４の近傍に配置され、チョッパー部３は基板表面の入力端子２２近傍に配置されている。放電灯点灯装置１を構成する他の素子は、チョッパー部３とインバータ部５の間又は裏面に配置されている。
基板２０の裏面には、インバータ部５から長手方向に所定間隔をおいて入力端子側２２にインバータ制御ＩＣチップ１３が配置され、チョッパー部３から長手方向に所定間隔をおいてチョッパー制御ＩＣチップ１１が配置されている。
【００３２】
マイコン９は、インバータ制御ＩＣチップ１３とチョッパー制御ＩＣチップ１１の長手方向中間に配置されている。
本実施形態では、チョッパー部３を入力端子２２の近くに配置して、長細い素子類配置領域２６においてチョッパー部３とインバータ部５の中間（Ｒ５の領域）にマイコン９を配置したので、マイコン９はチョッパー部３とインバータ部５の双方から距離の離れた配置となり、チョッパー部３やインバータ部５からのノイズの影響を低減することができる。
【００３３】
また、インバータ部５より入力端子２２側にインバータ制御ＩＣチップ１３を配置し、更にインバータ制御ＩＣチップ１３より入力端子２２側にマイコン９を配置しているので、マイコン９からインバータ制御ＩＣチップに与えられる制御信号へのノイズ印加が回避され、ノイズの影響を受け難くなる。
また、チョッパー部より出力端子２４側にチョッパー制御ＩＣチップ１１を配置し、更にチョッパー制御ＩＣチップ１１より出力端子２４側にマイコン９を配置しているので、マイコン９からチョッパー制御ＩＣチップ１１に与えられる制御信号へのノイズ印加が回避され、ノイズの影響を受け難くなる。
【００３４】
なお、チョッパー部３からのノイズがマイコン９に影響するのを防止するという観点からは、マイコン９がチョッパー部３より出力端子２４側にあればよいので、チョッパー部１１はチョッパー部３の入力端子２２側に配置してもよい。
なお、本発明は上記実施の形態に限定されるものではない。例えば、図２に示すインバータ部５の回路構成は、例示であって、他の公知の回路構成を採用することができる。
また、マイコン９，インバータ制御ＩＣチップ１３，チョッパー制御ＩＣチップ１１は、基板表面に配置してもよい。
【００３５】
【発明の効果】
以上、本発明によれば、放電灯点灯装置にマイコンが一体化されているので、調光、照度補正といった機能を放電灯点灯装置単独で備えていることになる。したがって、従来のように、組立時にマイコンと放電灯点灯装置を配線接続する必要がなく、器具配線を容易に行える。
また、インバータ部及び制御部を構成する回路素子類が配置される基板上の素子類配置領域が両端子間に設けられ、当該素子類配置領域は、両端子間を結ぶ方向に長く延びた形状とされ、マイコは、前記素子類配置領域において前記インバータ素子よりも入力端子側に配置されているので、マイコンはインバータ部からノイズの影響を受け難い。
【図面の簡単な説明】
【図１】  第１実施形態に係る放電灯点灯装置の回路配置図である。
【図２】  放電灯点灯装置の回路図である。
【図３】  第２実施形態に係る放電灯点灯装置の回路配置図である。
【図４】  第３実施形態に係る放電灯点灯装置の回路配置図である。
【符号の説明】
１  放電灯点灯装置
３  チョッパー部
５  インバータ部
７  放電灯
８  点灯制御部
９  マイクロコンピュータ
１１  チョッパー制御ＩＣチップ
１３  インバータ制御ＩＣチップ
２０  基板
２２  入力端子
２４  出力端子
２６  素子類配置領域
【図１】
0004180742.tif 000002
【図２】
0004180742.tif 000003
【図３】
0004180742.tif 000004
【図４】
0004180742.tif 000005